(57)【要約】【課題】本発明は、構内呼出端末に関するもので、患者が呼び出しに気がつくようにすることを目的とするものである。【解決手段】そしてこの目的を達成するために本発明は、本体ケース２と、この本体ケース２に設けられたスピーカ５と、前記本体ケース２内に設けられた振動部１０と、前記スピーカ５および前記振動部１０に接続された制御部１１と、この制御部１１に接続された無線データ送受信部１２とを備え、本体ケース２の外表面には光センサ６を設け、この光センサ６に入射する光が所定値以下の光量になった場合には、前記スピーカ５から注意音を出す動作、あるいは、前記振動部１０を用いて前記本体ケース２を振動させる動作のうち、少なくともどちらか一方を実施する構成とした。【選択図】図１
2012129666.tif 000002
【特許請求の範囲】
【請求項１】
本体ケースと、この本体ケースに設けられた音出力部と、前記本体ケース内に設けられた振動部と、前記音出力部および前記振動部に接続された制御部と、この制御部に接続された通信部とを備え、
前記本体ケースの外表面には光量測定部を設け、この光量測定部に入射する光が所定値以下の光量になった場合には、前記音出力部から注意音を出す動作、あるいは、前記振動部を用いて前記本体ケースを振動させる動作のうち、少なくともどちらか一方を実施する構成とした構内呼出端末。
【請求項２】
前記光量測定部と前記音出力部を、前記本体ケースの同一面に配置した請求項１に記載の構内呼び出し端末。
【請求項３】
前記光量測定部と前記音出力部とを近接して設けた請求項２に記載の構内呼び出し端末。
【請求項４】
前記本体ケースを箱状とし、この本体ケースの前面に表示部を設け、側面に前記光量測定部と前記音出力部とを設けた請求項３に記載の構内呼び出し端末。
【請求項５】
通信部は、呼び出しサーバからのメッセージを受け取る構成とし、この通信部が前記呼び出しサーバからのメッセージを受け取った時には、前記制御部により前記光量測定部に入射する光が所定値以下の光量であるか否かを確認し、この光量が所定値以下の光量である時には、前記音出力部による呼び出し音の大きさを、通常の呼び出し音よりも大きくする構成とした請求項１から４のいずれか一つに記載の構内呼び出し端末。
【発明の詳細な説明】
【技術分野】
【０００１】
本発明は、例えば病院の構内で使用される構内呼出端末に関するものである。
【背景技術】
【０００２】
従来の構内呼び出し端末の構成は、以下のような構成となっていた。
【０００３】
すなわち、本体ケースと、この本体ケースに設けられた音出力部と、前記本体ケース内に設けられた振動部と、前記音出力部および前記振動部に接続された制御部と、この制御部に接続された通信部とを備えた構成となっていた。
【０００４】
そして、この構内呼出端末を利用した呼出システムが提案されていた（例えば下記特許文献１）。
【先行技術文献】
【特許文献】
【０００５】
【特許文献１】特開平９−３１２８６５号公報
【発明の概要】
【発明が解決しようとする課題】
【０００６】
上記従来例における課題は、病院スタッフが外来患者呼出システムを用いて患者を呼び出した時に、呼び出された患者が呼び出しに気がつかない場合があることであった。
【０００７】
すなわち、病院スタッフが外来患者呼出システムを用いて患者を呼び出すと、外来患者呼出システムの呼び出しサーバーから構内呼出端末に対してメッセージが送信される。このメッセージを、構内呼出端末の通信部が受信した時には、音出力部から音を出し、振動部を用いて本体ケースを振動させている。そして、これらの音や振動を用いて、患者に対して呼出メッセージが到着したことを通知するものとなっている。
【０００８】
しかし、患者が構内呼出端末を、例えば、ポケットやバッグなどに入れていた場合、本体ケースと患者の間には遮蔽物が存在することになる。このため、音出力部からの音が遮蔽物によって減衰し、振動部からの振動も遮蔽物によって減衰し、これらの音や振動が患者に対して伝わらず、呼び出された患者が呼び出しに気がつかない場合があった。
【０００９】
そこで本発明は、呼び出された患者が呼び出しに気がつくようにすることを目的とするものである。
【課題を解決するための手段】
【００１０】
そして、この目的を達成するために本発明は、本体ケースと、この本体ケースに設けられた音出力部と、前記本体ケース内に設けられた振動部と、前記音出力部および前記振動部に接続された制御部と、この制御部に接続された通信部とを備え、前記本体ケースの外表面には光量測定部を設け、この光量測定部に入射する光が所定値以下の光量になった場合には、前記音出力部から注意音を出す動作、あるいは、前記振動部を用いて前記本体ケースを振動させる動作のうち、少なくともどちらか一方を実施する構成とし、これにより所期の目的を達成するものである。
【発明の効果】
【００１１】
以上のように本発明は、本体ケースと、この本体ケースに設けられた音出力部と、前記本体ケース内に設けられた振動部と、前記音出力部および前記振動部に接続された制御部と、この制御部に接続された通信部とを備え、前記本体ケースの外表面には光量測定部を設け、この光量測定部に入射する光が所定値以下の光量になった場合には、前記音出力部から注意音を出す動作、あるいは、前記振動部を用いて前記本体ケースを振動させる動作のうち、少なくともどちらか一方を実施する構成としたものであるので、病院スタッフが患者を呼び出した時に、呼び出された患者が呼び出しに気がつくようにすることができる。
【００１２】
すなわち、本発明においては、例えば、患者が本体ケースをポケットやバッグなどに入れようとした場合、光量測定部により光量測定部への光量が所定値以下になったことを検知し、音出力部から注意音を出す動作、あるいは、振動部を用いて本体ケースを振動させる動作、のうち少なくともどちらか一方を実施して患者に対して本体ケースをポケットやバッグなどに入れないように注意を促すことになる。
【００１３】
すると、患者は本体ケースをポケットやバッグなどに入れなくなる。このため、病院スタッフが患者を呼び出した時に、音や振動が減衰されることがなくなり、呼び出された患者が呼び出しに気がつくことができるようにすることができるのである。
【図面の簡単な説明】
【００１４】
【図１】本発明の一実施形態にかかる構内呼び出し端末の斜視図
【図２】本発明の一実施形態にかかる構内呼び出し端末を用いたシステムを表す図
【図３】本発明の一実施形態にかかる構内呼び出し端末の電気的なブロック図
【図４】同、動作時の表示を示す図
【図５】同、動作フローチャート
【図６】同、動作フローチャート
【発明を実施するための形態】
【００１５】
以下、本発明の一実施形態を、病院の構内で使用される構内呼出端末に適用したものを、添付図面を用いて説明する。
【００１６】
図１は、構内呼出端末１Ａを示し、箱状の本体ケース２の前面上側には表示部３が設けられ、前面下側には、ユーザー入力部として操作キー４が設けられている。さらに、本体ケース２の上側面には、スピーカ５（音出力部の一例）と、光センサ６（光量測定部の一例）とが、近接した状態で設けられている。
【００１７】
この構内呼出端末１Ａを利用した呼出システムを、図２に示す。
【００１８】
この図２において、呼び出しサーバ７には、呼び出し制御端末８Ａ、８Ｂが接続されている。さらに、呼び出しサーバ７には無線アクセスポイント９が接続されており、この無線アクセスポイント９と構内呼出端末１Ａ〜１Ｆとが無線で通信を行う構成となっている。なお、構内呼出端末１Ａ〜１Ｆは、同一の構造となっている。
【００１９】
そして、使用者（例えば看護師）は、制御端末８Ａ、あるいは制御端末８Ｂを用いて患者の呼び出しを行う。この呼び出しは呼び出しサーバ７に伝達され、この呼び出しサーバ７は無線アクセスポイント９を介して構内呼出端末１Ａ〜１Ｆのいずれか一つ、例えば構内呼出端末１Ａに呼び出しメッセージを送ることとなる。
【００２０】
この呼び出しメッセージを受信した構内呼出端末１Ａは、図１に示すごとく、呼出メッセージを表示部３に表示するとともに、スピーカ５から呼出音（たとえばピッ、ピッ、ピッ）を出力し、例えばモータ等により構成された振動部（図３の１０）を用いて本体ケースを振動（たとえば１秒間隔の断続的な振動）させる。そして、これらの音や振動によって、表示部３に呼出メッセージが表示されていることを患者に通知する。
【００２１】
この表示部３には、例えば「内科、１階１Ｃ、１３診察室へお入り下さい」と表示されており、構内呼出端末１Ａを持った患者（図示せず）は、この表示を見て、１階１Ｃゾーンにある内科の第１３診察室に入ることとなる。
【００２２】
図３は、構内呼出端末１Ａの電気的なブロック図を示している。構内呼出端末１Ａ〜１Ｆは同一の構造であるので、構内呼出端末１Ａを例にとって説明を続ける。
【００２３】
図３において、制御部１１には、図２の無線アクセスポイント９と無線通信を行う無線データ送受信部１２（通信部の一例）が接続されており、操作キー４、光センサ６、表示部３、スピーカ５、振動部１０が接続されている。さらに、制御部１１には、記憶部１３が接続されており、この記憶部１３の内部には、基準音量記憶部１４が設けられている。そして、呼び出しメッセージを構内呼出端末１Ａが受信した時には、この基準音量記憶部１４に記憶された基準音量でスピーカ５から音を出力する。なお、この基準音量記憶部１４は、使用者が操作キー４を用いて、あらかじめ適切な音量に設定できるようになっている。
【００２４】
また、制御部１１を動作させるプログラムがＲＯＭ１５に格納されている。
【００２５】
以上の説明により、本実施形態の基本的な構成およびその動作が理解された所で、以下本実施形態における最も大きな特徴点について説明する。
【００２６】
すなわち、本実施形態においては、本体ケース２の外表面（上側面）に、スピーカ５と光センサ６とを、近接した状態で設けている。さらに、制御部１１内に遮蔽判定部１６を設けた構成としている。
【００２７】
このため、例えば、患者が本体ケース２をポケットやバッグなどに入れようとした場合には、光センサ６に入射する光が所定値以下の光量になったことを遮蔽判定部１６が判定し、スピーカ５から注意音を出す動作、あるいは、振動部１０を用いて本体ケース２を振動させる動作のうち、少なくともどちらか一方を実施する構成としている。
【００２８】
以下に、この構成での動作について、詳細に説明を行う。
【００２９】
図５は、メッセージ待ち受け状態における構内呼出端末１Ａの動作フローチャートであり、呼び出しサーバ（図２）から送られてくる呼び出しメッセージを、構内呼出端末１Ａが待っている状態である。
【００３０】
まず、外来患者が、診察のために病院に訪れると、受付で、構内呼出端末１Ａが電源オンの状態で渡される。この時、表示部３には、図４（ａ）の表示Ｈ１に示すごとく、例えば「患者ＩＤ：０００１、患者名○○  △△様、案内されるまで、病院内でお待ち下さい。」と表示されている。
【００３１】
一方、診察時間の病院内では、その衛生状態および視認性確保のため明るい雰囲気が保持された状態となっており、本体ケース２の光センサ６に入射する光は十分な光量を持った状態となっている。この状態で、外来患者は診察の呼び出しを待つことになる（図５のＳ１）。
【００３２】
しかし、外来患者が本体ケース２を、例えば、ポケットやバッグなどに入れて保持した場合、本体ケース２と外来患者の間には遮蔽物が存在することになる。このため、スピーカ５からの音は遮蔽物によって減衰し、振動部１０による振動も遮蔽物によって減衰し、これらの音や振動が外来患者に対して伝わらず、呼び出された外来患者が呼び出しに気がつかない場合があった。
【００３３】
そこで、光センサ６に入射する光の光量を遮蔽判定部１６が判定する構成としている。つまり、外来患者が本体ケース２をポケットやバッグなどに入れようとした時には、光センサ６に入射する光がポケットやバッグによって遮蔽された状態となるが、この遮蔽された状態を、光センサ６に入射する光の光量が所定値以下になったことにより判断する（図５のＳ２）。
【００３４】
つぎに、遮蔽判定部１６が遮蔽状態と判定した時には、制御部１１が、基準音量記憶部１４に記憶された基準音量を用いて、スピーカ５から注意音（たとえばビー、ビー、ビー）を出力を開始する。さらに、振動部１０を用いて本体ケース２の注意振動（たとえば連続的な振動）を開始する。
【００３５】
本実施形態においては、注意通知として用いる注意音（たとえばビー、ビー、ビー）／注意振動（たとえば連続的な振動）と、呼び出し通知として用いる呼出音（たとえばピッ、ピッ、ピッ）／振動（たとえば１秒間隔の断続的な振動）とを明確に区別している。このため、外来患者は注意通知と呼び出し通知を区別できるものとなっている。
【００３６】
またこの時、これら注意音および注意振動を継続する継続時間が、記憶部に設定される（図５のＳ３）。
【００３７】
さらに、制御部１１は、本体ケース２がポケットやバッグに入れられた事を示すメッセージを、表示部３に注意メッセージを表示する。この注意メッセージは、例えば、図４（ｂ）の表示Ｈ２に示すごとく、「スピーカ部が塞がれました。スピーカ部を塞がずに本機をお持ち下さい」としている。
【００３８】
その後、制御部１１は、注意音および注意振動を継続する継続時間が経過したか否かを監視し、時間が経過した時には、スピーカ５からの注意音を停止し、振動部を停止して注意振動を停止する（図５のＳ７）。
【００３９】
なお、注意音および注意振動を継続する継続時間中には、遮蔽判定部１６が光センサ６に入射する光量により遮蔽状態を判断している。そして、光量が一定値以上になった場合には、遮蔽状態が解除された、つまり外来患者がこれらの注意音や注意振動に気付き、本体ケース２をポケットやバッグから取り出したと判断する（図５のＳ６）。そして、スピーカ５からの注意音を停止し、振動部を停止して注意振動を停止する（図５のＳ７）。
【００４０】
この時、上述したごとく、表示部３には、図４（ｂ）の表示Ｈ２「スピーカ部が塞がれました。スピーカ部を塞がずに本機をお持ち下さい」と注意メッセージが表示されている。つまり、外来患者に対して、本体ケース２をポケットやバッグなどに入れないように注意を促すものとなっている。
【００４１】
この結果として、外来患者は本体ケース２をポケットやバッグなどに入れなくなる。したがって、病院スタッフが外来患者を呼び出した時に、スピーカ５の音や振動部１０による振動が減衰されることがなくなり、呼び出された患者が呼び出しに気がつくことができるものとなる。そして、外来患者は、表示部のメッセージを確認した後、操作キー４を押下し確認を終了する。制御部１１は、表示部３の注意メッセージを消去する（図５のＳ８）。
【００４２】
その後、制御部１１は、再び表示部３に、図４（ａ）の表示Ｈ１に示すごとく、例えば「患者ＩＤ：０００１、患者名○○  △△様、案内されるまで、病院内でお待ち下さい。」と表示して、一連の動作を終了する（図５のＳ９）。
【００４３】
なお、本実施形態においては、スピーカ５と光センサ６とを、箱状の本体ケース２の上側面に設けている。このため、例えば、本体ケース２の上側面を上にした状態で、深さが浅い胸ポケットに本体ケース２を入れる場合、本体ケース２の上側面に設けたスピーカ５と光センサ６は胸ポケットに入らないような構成となっている。
【００４４】
その結果として、利便性を高めつつ、呼び出された患者が呼び出しに気がつくことができるものとなる。
【００４５】
さらに本実施形態においては、外来患者が、上記スピーカ５の注意音や振動部１０による注意振動に気づかなかった場合（図５のＳ５）にも対応した物となっている。
【００４６】
すなわち、図３に示すごとく、制御部１１内に音量選択部１７を設け、記憶部１３内に遮蔽時音量記憶部１８をさらに設けている。この遮蔽時音量記憶部１８に記録される遮蔽時音量は、本体ケース２が遮蔽状態の時に使用するのであるが、基準音量記憶部１４に記憶された基準音量よりも大きな音量としている。
【００４７】
そして、無線データ送受信部１２が呼び出しサーバ７からの呼び出しメッセージを受け取った時には、まず、制御部１１の遮蔽判定部１６により、光センサ６に入射する光が所定値以下の光量であるか否かを確認する。そして、この光量が所定値以下の時には、本体ケース２は遮蔽状態となっているので、スピーカ５による呼び出し音の大きさを、通常の呼び出し音よりも大きくする構成としている。
【００４８】
図６を用いて、さらに詳細に説明する。
【００４９】
図６は、無線データ送受信部１２が呼び出しサーバ７からの呼び出しメッセージを受け取った時の動作を表すフローチャートである。
【００５０】
まず、無線データ送受信部１２が呼び出しサーバ７からの呼び出しメッセージを受け取る（図６のＳ１０）。
【００５１】
つぎに、制御部１１の遮蔽判定部１６により、光センサ６に入射する光が所定値以下の光量であるか否かを確認する（図６のＳ１１）。
【００５２】
光センサ６に入射する光が所定値以下の光量でない時には、光センサ６はポケットやバッグなどに遮蔽されていないので、音量選択部１７が基準音量記憶部１４に記憶された基準音量を用いてスピーカ５から呼出音（たとえばピッ、ピッ、ピッ）を出力し、振動部１０により本体ケース２の振動（たとえば１秒間隔の断続的な振動）を開始し、ユーザーが操作キー４を押下する確認操作を監視する（図６のＳ１３）。
【００５３】
一方、光センサ６に入射する光が所定値以下の光量である時には、光センサ６はポケットやバッグなどに遮蔽されているので、音量選択部１７が遮蔽時音量記憶部１８に記憶された遮蔽時音量を用いてスピーカ５から注意音（たとえばビー、ビー、ビー）を出力する。さらに、振動部１０を用いて注意振動（たとえば連続的な振動）を開始する。
【００５４】
この時、前記遮蔽時音量は、基準音量記憶部１４に記憶された基準音量よりも大きな音量となるようにあらかじめ設定されている。
【００５５】
このため、外来患者が上述した注意音や注意振動に気づかずに、本体ケース２をポケットやバッグにいれた状態で保持していた場合においても、無線データ送受信部１２が呼び出しサーバ７からの呼び出しメッセージを受け取った時には、通常よりも大きな音量で呼び出すことができるので、患者が呼び出しに気がつくようにできるのである（図６のＳ１４）。
【００５６】
その後、制御部１１は、ユーザーにより操作キー４を押下する確認操作がなされたと判断すると（図６のＳ１３）、スピーカ５からの呼出音を停止し、振動部１０を停止し振動を停止する（図６のＳ１５）。
【００５７】
さらに、制御部１１は、表示部３に、図４（ｃ）の表示Ｈ３に示すごとく、例えば「内科、１階１Ｃ、１３診察室へお入り下さい」と表示して、一連の動作を終了する（図５のＳ１６）。
【００５８】
そして、外来患者は、この表示を見て、１階１Ｃゾーンにある内科の第１３診察室に入ることとなるのである。
【産業上の利用可能性】
【００５９】
以上のように本発明は、本体ケースと、この本体ケースに設けられた音出力部と、前記本体ケース内に設けられた振動部と、前記音出力部および前記振動部に接続された制御部と、この制御部に接続された通信部とを備え、本体ケースの外表面には光量測定部を設け、この光量測定部に入射する光が所定値以下の光量になった場合には、前記音出力部から注意音を出す動作、あるいは、前記振動部を用いて前記本体ケースを振動させる動作のうち、少なくともどちらか一方を実施する構成としたものであるので、病院スタッフが患者を呼び出した時に、呼び出された患者が呼び出しに気がつくようにすることができる。
【００６０】
すなわち、本発明においては、例えば、患者が本体ケースをポケットやバッグなどに入れようとした場合、光量測定部により光量測定部への光量が所定値以下になったことを検知し、音出力部から注意音を出す動作、あるいは、振動部を用いて本体ケースを振動させる動作、のうち少なくともどちらか一方を実施して患者に対して本体ケースをポケットやバッグなどに入れないように注意を促すことになる。
【００６１】
すると、患者は本体ケースをポケットやバッグなどに入れなくなる。このため、病院スタッフが患者を呼び出した時に、音や振動が減衰されることがなくなり、呼び出された患者が呼び出しに気がつくことができるようにすることができるのである。
【００６２】
したがって、例えば病院の構内で使用される構内呼出端末として、広く活用が期待されるものである。
【符号の説明】
【００６３】
１Ａ  構内呼出端末
２  本体ケース
３  表示部
４  操作キー
５  スピーカ
６  光センサ
７  呼び出しサーバ
８Ａ、８Ｂ  制御端末
９  無線アクセスポイント
１０  振動部
１１  制御部
１２  無線データ送受信部
１３  記憶部
１４  基準音量記憶部
１５  ＲＯＭ
１６  遮蔽判定部
１７  音量選択部
１８  遮蔽時音量記憶部
【図１】
2012129666.tif 000003
【図２】
2012129666.tif 000004
【図３】
2012129666.tif 000005
【図４】
2012129666.tif 000006
【図５】
2012129666.tif 000007
【図６】
2012129666.tif 000008